(57)【要約】【課題】簡単な構造で被読み取り体を原稿台に押さえ付けて浮き上がりを防止し、正常な読み取りを可能としたフラットベッド型読み取り装置および原稿台カバーの提供を目的とする。【解決手段】被読み取り体Ｂを透明な原稿台３上に載置し、原稿台３の下から光を当てて読み取るフラットベッド型読み取り装置１において、原稿台３上を覆う原稿台カバー４が、自重により被読み取り体Ｂに沿って変形する原稿押さえ部材６を備える。このフラットベッド型読み取り装置１では、原稿押さえ部材６が自重により被読み取り体Ｂに沿って変形することで、被読み取り体Ｂの全体が原稿台３上へ押さえ付けられるので、被読み取り体Ｂの原稿台３からの浮き上がりが防止され、正常な読み取りを行うことが可能となる。【選択図】図３
2009224941.tif 000002
【特許請求の範囲】
【請求項１】
被読み取り体を透明な原稿台上に載置し、前記原稿台の下から光を当てて読み取るフラットベッド型読み取り装置であって、
前記原稿台上を覆う原稿台カバーを備え、
この原稿台カバーは、自重により被読み取り体に沿って変形する原稿押さえ部材を備えたことを特徴とするフラットベッド型読み取り装置。
【請求項２】
前記原稿押さえ部材は、シート状の弾性部材であり、
前記原稿台カバーは、前記原稿押さえ部材の少なくとも一端部をスライド可能に保持するスライド保持機構を備えたものである請求項１記載のフラットベッド型読み取り装置。
【請求項３】
前記スライド保持機構は、前記原稿台カバーの下面に沿う方向および上下方向にスライド可能なものである請求項２記載のフラットベッド型読み取り装置。
【請求項４】
前記原稿押さえ部材は、前記原稿台カバーの下面に液体またはゲル状物質が柔軟なシート材により保持されたものである請求項１記載のフラットベッド型読み取り装置。
【請求項５】
前記原稿台カバーは、一端部に前記原稿台に軸支される回転軸を備え、
この回転軸は、前記原稿台に対して上下方向に移動可能に保持されたものである請求項１から４のいずれかに記載のフラットベッド型読み取り装置。
【請求項６】
被読み取り体を透明な原稿台上に載置し、前記原稿台の下から光を当てて読み取るフラットベッド型読み取り装置の前記原稿台上を覆う原稿台カバーであって、
自重により被読み取り体に沿って変形する原稿押さえ部材を備えたことを特徴とするフラットベッド型読み取り装置の原稿台カバー。
【請求項７】
前記原稿押さえ部材は、シート状の弾性部材であり、
前記原稿押さえ部材の少なくとも一端部をスライド可能に保持するスライド保持機構を備えたことを特徴とする請求項６記載のフラットベッド型読み取り装置の原稿台カバー。
【請求項８】
前記スライド保持機構は、当該原稿台カバーの下面に沿う方向および上下方向にスライド可能なものである請求項７記載のフラットベッド型読み取り装置の原稿台カバー。
【請求項９】
前記原稿押さえ部材は、当該原稿台カバーの下面に液体またはゲル状物質が柔軟なシート材により保持されたものである請求項６記載のフラットベッド型読み取り装置の原稿台カバー。
【請求項１０】
前記原稿台カバーは、一端部に前記原稿台に軸支される回転軸を備え、
この回転軸は、前記原稿台に対して上下方向に移動可能に保持されたものである請求項６から９のいずれかに記載のフラットベッド型読み取り装置の原稿台カバー。
【発明の詳細な説明】
【技術分野】
【０００１】
本発明は、被読み取り体を透明な原稿台上に載置し、原稿台の下から光を当てて読み取るフラットベッド型読み取り装置および原稿台カバーに関する。
【背景技術】
【０００２】
図６は従来のフラットベッド型読み取り装置の原稿台カバーを閉じた状態の断面図、図７は従来のフラットベッド型読み取り装置の原稿台上に被読み取り体を載置して原稿台カバーを閉じた状態の断面図である。
【０００３】
図６に示すように、フラットベッド型読み取り装置１００は、被読み取り体としての原稿を透明な原稿台１０１上に載置し、原稿台１０１の下から光を当てて原稿を読み取るものである。また、このフラットベッド型読み取り装置１００は、原稿台１０１上に外光を遮断するための原稿台カバー１０２を備えており、原稿台１０１上に載置した原稿の読み取り面が原稿台１０１から浮き上がらないようにこの原稿台カバー１０２により原稿を押さえ付けて読み取りを行う。
【０００４】
ところが、図７に示すように、被読み取り体Ｂが冊子などの厚みを有するものである場合、原稿台カバー１０２の回転軸１０３に近い側は原稿台１０１上に押さえ付けられて正常に読み取られるが、回転軸１０３から遠い側は押さえ付けが不十分となり、被読み取り体の読み取り面が原稿台１０１から浮き上がり、読み取り画像が正常に読み取られないという問題が発生する。
【０００５】
従来、この被読み取り体の浮き上がりを防止する技術として、例えば（特許文献１，２）に記載のものが知られている。（特許文献１）には、上側の支持板と、上側の支持板に回動自在に接続された下側の支持板からなり、原稿台の原稿載置範囲外で原稿を支持する原稿支持部材を備え、２枚の支持板を閉じる方向に付勢部材によって付勢することにより、原稿カバーを下側に押圧し、原稿が本などの場合に見開き部が浮くのを防止する画像形成装置が記載されている。
【０００６】
また、（特許文献２）には、レンズとＣＣＤ等の読み取り素子を一体化した画像読み取りユニットに対して、読み取りユニットと被写体との距離を可変できる手段を用意し、原稿の厚みを検出する手段を設け、原稿の厚みによって距離可変手段により読み取りユニットの位置を調整する画像読み取り装置が記載されている。
【特許文献１】特開平８−１１０６０２号公報
【特許文献２】特開２００２−３００３５５号公報
【発明の開示】
【発明が解決しようとする課題】
【０００７】
上記の（特許文献１，２）に記載のものは、機構が非常に複雑であり、読み取り装置のコストが高くなってしまうという問題がある。また、（特許文献１）に記載のものでは、付勢部材によって原稿カバーを押さえ付けるが、原稿カバーを原稿に対して鉛直方向に押さえ付けることは難しく、様々な形状の原稿に対して同様に押さえ付けることは困難である。
【０００８】
そこで、本発明においては、簡単な構造で被読み取り体を原稿台に押さえ付けて浮き上がりを防止し、正常な読み取りを可能としたフラットベッド型読み取り装置および原稿台カバーを提供することを目的とする。
【課題を解決するための手段】
【０００９】
上記課題を解決するため、本発明は、被読み取り体を透明な原稿台上に載置し、原稿台の下から光を当てて読み取るフラットベッド型読み取り装置において、原稿台上を覆う原稿台カバーが、自重により被読み取り体に沿って変形する原稿押さえ部材を備えたことを特徴とする。
【発明の効果】
【００１０】
本発明によれば、原稿押さえ部材が自重により被読み取り体に沿って変形することで、被読み取り体の全体が原稿台上へ押さえ付けられるので、被読み取り体の原稿台からの浮き上がりが防止され、正常な読み取りを行うことが可能となる。
【発明を実施するための最良の形態】
【００１１】
本願の第１の発明は、被読み取り体を透明な原稿台上に載置し、原稿台の下から光を当てて読み取るフラットベッド型読み取り装置であって、原稿台上を覆う原稿台カバーを備え、この原稿台カバーが、自重により被読み取り体に沿って変形する原稿押さえ部材を備えたことを特徴とするフラットベッド型読み取り装置である。本発明によれば、原稿押さえ部材が自重により被読み取り体に沿って変形することで、被読み取り体の全体が原稿台上へ押さえ付けられるので、被読み取り体の原稿台からの浮き上がりが防止され、正常な読み取りを行うことが可能となる。
【００１２】
本願の第２の発明は、上記原稿押さえ部材が、シート状の弾性部材であり、原稿台カバーが、原稿押さえ部材の少なくとも一端部をスライド可能に保持するスライド保持機構を備えたものであることを特徴とする。本発明によれば、シート状の弾性部材である原稿押さえ部材の少なくとも一端部がスライドすることで、シート状の弾性部材である原稿押さえ部材が被読み取り体に沿って変形しやすくなり、被読み取り体の全体がより確実に原稿台上へ押さえ付けられるので、さらに被読み取り体の原稿台からの浮き上がりが防止され、より正常な読み取りを行うことが可能となる。
【００１３】
本願の第３の発明は、上記スライド保持機構が、原稿台カバーの下面に沿う方向および上下方向にスライド可能なものであることを特徴とする。本発明によれば、シート状の弾性部材である原稿押さえ部材の少なくとも一端部が原稿台カバーの下面に沿う方向および上下方向にスライドすることで、シート状の弾性部材である原稿押さえ部材が被読み取り体に沿ってさらに変形しやすくなり、被読み取り体の全体がより確実に原稿台上へ押さえ付けられるので、さらに被読み取り体の原稿台からの浮き上がりが防止され、より正常な読み取りを行うことが可能となる。
【００１４】
本願の第４の発明は、上記原稿押さえ部材が、原稿台カバーの下面に液体またはゲル状物質が柔軟なシート材により保持されたものであることを特徴とする。本発明によれば、原稿台カバーの下面に柔軟なシート材により保持された液体またはゲル状物質が自重により被読み取り体に沿って変形することで、被読み取り体の全体が原稿台上へ押さえ付けられるので、被読み取り体の原稿台からの浮き上がりが防止され、正常な読み取りを行うことが可能となる。
【００１５】
本願の第５の発明は、原稿台カバーが、一端部に原稿台に軸支される回転軸を備え、この回転軸が、原稿台に対して上下方向に移動可能に保持されたものであることを特徴とする。本発明によれば、被読み取り体の厚さに応じて原稿台カバーの回転軸が原稿台に対して上下方向に移動するので、被読み取り体の全体に渡って原稿押さえ部材と被読み取り体との距離が短くなる。これにより、原稿押さえ部材が被読み取り体に沿ってさらに変形しやすくなり、被読み取り体の全体がより確実に原稿台上へ押さえ付けられるので、さらに被読み取り体の原稿台からの浮き上がりが防止され、より正常な読み取りを行うことが可能となる。
【００１６】
本願の第６の発明は、被読み取り体を透明な原稿台上に載置し、原稿台の下から光を当てて読み取るフラットベッド型読み取り装置の原稿台上を覆う原稿台カバーであって、自重により被読み取り体に沿って変形する原稿押さえ部材を備えたことを特徴とするフラットベッド型読み取り装置の原稿台カバーである。本発明によれば、原稿押さえ部材が自重により被読み取り体に沿って変形することで、被読み取り体の全体が原稿台上へ押さえ付けられるので、被読み取り体の原稿台からの浮き上がりが防止され、正常な読み取りを行うことが可能となる。
【００１７】
以下、本発明の実施の形態について図面を参照して説明する。
【００１８】
（実施の形態１）
図１は本発明の実施の形態１におけるフラットベッド型読み取り装置の斜視図、図２は図１のフラットベッド型読み取り装置の原稿台カバーを閉じた状態の断面図、図３は図１のフラットベッド型読み取り装置の原稿台上に被読み取り体を載置して原稿台カバーを閉じた状態の断面図である。
【００１９】
図１及び図２に示すように、本発明の実施の形態１におけるフラットベッド型読み取り装置１は、本体筐体２の上面に透明なガラスやプラスチック等により形成された原稿台３と、この原稿台３上を覆う原稿台カバー４とを備える。また、本体筐体２内には、撮像素子や光源などから構成される撮像ユニット５を備える。被読み取り体Ｂ（図３参照）は、原稿台３上に載置され、この原稿台３の下の撮像ユニット５の光源から光を当てて撮像素子により撮像されることで、画像データとして読み取られる。
【００２０】
また、実施の形態１におけるフラットベッド型読み取り装置１では、原稿台カバー４が、その下面すなわち原稿台３に対峙する面に、自重により被読み取り体に沿って変形する原稿押さえ部材６を備える。原稿押さえ部材６は、ゴム系の材料や、ゴムとコルクとを混合したゴムコルクなどの水に対する比重の大きな軟体材料により形成されたシート状の弾性部材である。なお、実施の形態１においては、原稿押さえ部材６の比重は１．３〜１．４、厚さは１〜１．５ｍｍであるが、自重により被読み取り体に沿って変形するものであれば良い。
【００２１】
原稿台カバー４は、一端部に原稿台３に軸支される回転軸７を備える。原稿台カバー４は、この回転軸７を中心として回転することにより原稿台３の上面を開閉する。また、回転軸７は、本体筐体２に対して上下方向にスライド可能な支持片８に支持されている。すなわち、回転軸７は、この支持片８が上下方向にスライドすることで、原稿台３に対して上下方向に移動可能となっている。
【００２２】
また、原稿台カバー４は、原稿押さえ部材６の回転軸７とは反対側の端部をスライド可能に保持するスライド保持機構９を備える。スライド保持機構９は、原稿押さえ部材６の端部に固定された支持片９ａと、支持片９ａに回転軸７に対して直交する方向に形成されたスライド溝孔９ｂと、原稿台カバー４に形成され、スライド溝孔９ｂを貫通して支持片９ａの上下方向のスライド量を規制するストッパ９ｃとから構成される。スライド保持機構９は、支持片９ａがスライド溝孔９ｂおよびストッパ９ｃにより規制された状態で、原稿押さえ部材６の端部を原稿台カバー４の下面に沿う方向および上下方向にスライド可能に保持する。
【００２３】
また、このスライド保持機構９の支持片９ａが固定された原稿押さえ部材６の端部と反対側の端部、すなわち回転軸７側の端部には原稿押さえ部材６の端部を上下方向にスライド可能に保持するスライド保持機構１０を備える。スライド保持機構１０は、原稿押さえ部材６の端部に固定された支持片１０ａと、支持片１０ａに形成されたスライド孔１０ｂと、原稿台カバー４に形成され、スライド孔１０ｂを貫通して支持片１０ａの上下方向のスライド量を規制するストッパ１０ｃとから構成される。スライド保持機構１０は、支持片１０ａがスライド孔１０ｂおよびストッパ１０ｃにより規制された状態で、原稿押さえ部材６の端部を原稿台カバー４の上下方向にスライド可能に保持する。
【００２４】
上記構成のフラットベッド型読み取り装置１では、図１に示すように原稿台カバー４を開くと、原稿押さえ部材６の重量により一方のスライド保持機構９の支持片９ａは回転軸７側に最も近い側かつ最も下方にスライドし、他方のスライド保持機構１０の支持片１０ａは最も下方にスライドした状態となる。そして、被読み取り体Ｂを原稿台３上に載置して原稿台カバー４を閉じると、図３に示すように、原稿押さえ部材６が自重により被読み取り体Ｂに沿って変形する。このとき、各スライド保持機構９，１０の支持片９ａ，１０ａは、原稿押さえ部材６が被読み取り体Ｂに沿って変形しやすいように適宜スライドする。
【００２５】
これにより、被読み取り体Ｂの全体が原稿台３上へ原稿押さえ部材６および原稿台カバー４の自重により押さえ付けられるので、被読み取り体Ｂの原稿台３からの浮き上がりが防止され、正常な読み取りを行うことができる。
【００２６】
また、このフラットベッド型読み取り装置１では、回転軸７が上下方向にスライド可能であるため、被読み取り体Ｂの厚さに応じて原稿台カバー４の回転軸７が原稿台３に対して上下方向に移動する。これにより、被読み取り体Ｂの全体に渡って原稿押さえ部材６と被読み取り体Ｂとの距離が短くなるので、原稿押さえ部材６が被読み取り体Ｂに沿って変形しやすく、被読み取り体Ｂの全体がより確実に原稿台３上へ押さえ付けられる。
【００２７】
（実施の形態２）
図４は本発明の実施の形態２におけるフラットベッド型読み取り装置の原稿台カバーを閉じた状態の断面図、図５は図４のフラットベッド型読み取り装置の原稿台上に被読み取り体を載置して原稿台カバーを閉じた状態の断面図である。なお、以下の説明において実施の形態１と共通の構成部分については同じ符号を付し、その詳細な説明を省略する。
【００２８】
図４に示すように、本発明の実施の形態２におけるフラットベッド型読み取り装置１１は、実施の形態１におけるフラットベッド型読み取り装置１の原稿押さえ部材６に代えて、ゴム系弾性体や樹脂系弾性体（ポリエチレン等）などの柔軟なシート材により形成された袋体１２内に、ゲル状物質１３が密封されて保持された原稿押さえ部材１４を備えたものである。
【００２９】
なお、実施の形態２におけるフラットベッド型読み取り装置１１では、実施の形態１におけるフラットベッド型読み取り装置１に備えていたスライド保持機構９，１０は備えていないが、回転軸７を上下方向にスライド可能に支持する支持片８は備えている。
【００３０】
この構成のフラットベッド型読み取り装置１１においても、原稿台カバー４を開き、被読み取り体Ｂを原稿台３上に載置して原稿台カバー４を閉じると、図５に示すように、原稿押さえ部材１４の袋体１２内のゲル状物質１３が自重により被読み取り体Ｂに沿って変形することで、被読み取り体Ｂの全体が原稿台３上へ押さえ付けられるので、被読み取り体Ｂの原稿台３からの浮き上がりが防止され、正常な読み取りを行うことが可能となる。
【００３１】
なお、本実施の形態２においては、袋体１２内にゲル状物質１３を保持した構成であるが、ゲル状物質１３に代えて水や油等の液体を用いることも可能である。要するに、袋体１２内に保持されて、被読み取り体Ｂに沿って変形し、その自重により被読み取り体Ｂの全体を原稿台３上へ押さえ付け可能なものであれば良い。
【００３２】
また、このフラットベッド型読み取り装置１１においても、回転軸７が上下方向にスライド可能であるため、被読み取り体Ｂの厚さに応じて原稿台カバー４の回転軸７が原稿台３に対して上下方向に移動する。これにより、被読み取り体Ｂの全体に渡って原稿押さえ部材１４と被読み取り体Ｂとの距離が短くなるので、原稿押さえ部材１４が被読み取り体Ｂに沿って変形しやすく、被読み取り体Ｂの全体がより確実に原稿台３上へ押さえ付けられる。
【産業上の利用可能性】
【００３３】
本発明のフラットベッド型読み取り装置および原稿台カバーは、複写機、イメージスキャナや複合機などの画像読み取り装置およびその原稿台カバーとして有用であり、特に、簡単な構造で被読み取り体を原稿台に押さえ付けて浮き上がりを防止し、正常な読み取りを可能としたフラットベッド型読み取り装置および原稿台カバーとして好適である。
【図面の簡単な説明】
【００３４】
【図１】本発明の実施の形態１におけるフラットベッド型読み取り装置の斜視図
【図２】図１のフラットベッド型読み取り装置の原稿台カバーを閉じた状態の断面図
【図３】図１のフラットベッド型読み取り装置の原稿台上に被読み取り体を載置して原稿台カバーを閉じた状態の断面図
【図４】本発明の実施の形態２におけるフラットベッド型読み取り装置の原稿台カバーを閉じた状態の断面図
【図５】図４のフラットベッド型読み取り装置の原稿台上に被読み取り体を載置して原稿台カバーを閉じた状態の断面図
【図６】従来のフラットベッド型読み取り装置の原稿台カバーを閉じた状態の断面図
【図７】従来のフラットベッド型読み取り装置の原稿台上に被読み取り体を載置して原稿台カバーを閉じた状態の断面図
【符号の説明】
【００３５】
１，１１    フラットベッド型読み取り装置
２    本体筐体
３    原稿台
４    原稿台カバー
５    撮像ユニット
６，１４    原稿押さえ部材
７    回転軸
８    支持片
９，１０    スライド保持機構
９ａ    支持片
９ｂ    スライド溝孔
９ｃ    ストッパ
１０ａ    支持片
１０ｂ    スライド孔
１０ｃ    ストッパ
１２    袋体
１３    ゲル状物質
【図１】
2009224941.tif 000003
【図２】
2009224941.tif 000004
【図３】
2009224941.tif 000005
【図４】
2009224941.tif 000006
【図５】
2009224941.tif 000007
【図６】
2009224941.tif 000008
【図７】
2009224941.tif 000009